(57)【要約】【課題】  柵部前後に配置した倒伏阻止手段を同時に安全、且つ簡敏に解除操作できるようにする。【解決手段】  折畳式側柵１の立位保持機構６直近の支柱４における上横桟５との軸止め箇所近傍と、前記立位保持機構６を設けた反対側の端の支柱４の上横桟５との軸止め箇所近傍に、倒伏阻止手段７を設ける。  この倒伏阻止手段７は、第１端部支柱４ａに隣接する中間支柱４ｃの軸止め箇所である上部ヒンジ１３に、上部ヒンジ１３の軸を回動中心とする方形枠状のスペーサブロック１６で構成する。このスペーサブロック１６は、支柱４の倒伏を中途で阻止する当接端部１６ｔを側方に微小な俯角を持って指向させる。またスペーサブロック１６には、手によって前記当接端部１６ｔを中途で阻止している支柱４から離脱させるべく変位させるための指掛部１６Ｌを設ける。【選択図】              図１
2005058513.tif 000002
【特許請求の範囲】
【請求項１】
ベッド等のサイドフレーム上に装着するようにした、下横桟と、下横桟上に起立倒伏可能に取り付けた複数の支柱と、複数の支柱頂部に回動自在に取り付けた上横桟と、前記支柱と上横桟間に、支柱を立位状態に維持する立位保持機構を備え、前記支柱のうちの特定の支柱と、この支柱と適宜数離れた位置における支柱と上横桟との軸止め箇所近傍に、複数の支柱が倒伏するのを中途で阻止するようにした、倒伏阻止手段を設けたことを特徴とする挟み込み防止機能を有する折畳式側柵。
【請求項２】
前記倒伏阻止手段は、前記立位保持機構直近の支柱における上横桟との軸止め箇所に回動自在に設けたスペーサブロックを有し、このスペーサブロックは、支柱が倒伏時に当接して、支柱の倒伏を阻止する当接端部を有し、このスペーサブロックは、スペーサブロックを変位させて前記当接端部を前記支柱から離脱させるための指掛部を備えたことを特徴とする請求項１記載の挟み込み防止機能を有する折畳式側柵。
【請求項３】
ベッド等のサイドフレーム上に装着するようにした、下横桟と、下横桟上に起立倒伏可能に取り付けた複数の支柱と、複数の支柱頂部に回動自在に取り付けた上横桟と、前記支柱と上横桟間に、支柱を立位状態に維持する立位保持機構を備え、前記上横桟に適宜間隔をおいて、複数の支柱が倒伏するのを中途で阻止するようにした倒伏阻止手段を設け、これらの倒伏阻止手段を連動操作手段で連動解除可能に構成したことを特徴とする挟み込み防止機能を有する折畳式側柵。
【請求項４】
前記倒伏阻止手段は、前記上横桟に揺動自在に取り付けたスペーサブロックで構成し、このスペーサブロックは、連動操作手段と連動可能に連結する構成としたことを特徴とする請求項３記載の挟み込み防止機能を有する折畳式側柵。
【請求項５】
前記連動操作手段は、上横桟にスライド可能に設けた連動杆で構成し、この連動杆には、前記倒伏阻止手段とそれぞれ動力的に連結して、それぞれの倒伏阻止手段に対して連動力を伝達する伝達手段を備えたことを特徴とする請求項３または４記載の挟み込み防止機能を有する折畳式側柵。
【請求項６】
前記伝達手段は、前記双方の倒伏阻止手段に対応して、倒伏阻止手段と遊動的に連結する傾斜長穴を備えた請求項５記載の挟み込み防止機能を有する折畳式側柵。
【請求項７】
前記伝達手段は、前記双方の倒伏阻止手段に当接して、倒伏阻止手段を連動変位させる幅広当接板を備えたと遊動的に連結する傾斜長穴を備えた請求項５記載の挟み込み防止機能を有する折畳式側柵。
【発明の詳細な説明】
【技術分野】
【０００１】
本発明は、ベッド等のサイドフレーム上に取り付けた、折畳式側柵において、折り畳む際に手などを挟み込んだりするのを防止するようにした、挟み込み防止機能を有する折畳式側柵に関するものである。
【背景技術】
【０００２】
これまで、ベッド等（通常のベッド、移送用ベッド、ＩＣＵベッド）のサイドフレームに設けられる側柵は、周知のように、安全対策上不可欠なものであるが、このような側柵のうち、例えば折畳式側柵は、ベッドサイドフレーム上において、折り畳み、立ち上げ自在であり、また、ロック機構によって立ち上げた状態で維持する構成としたものであり、ベッドへの乗り降りの際、いちいち取り外す必要はなく、折り畳むだけでよいので、介護者等の手を煩わすことのない優れた効果を発揮するものである。
【０００３】
ところで、このような折畳式側柵を本出願人はこれまで提案してきている。例えば、
【特許文献１】（特開平９−１２１９８２号公報）  この折畳式側柵１では、ベッド等のサイドフレーム２上に装着するようにした、下横桟３と、下横桟３上に、一方向に起立倒伏可能に取り付けた複数の支柱４と、複数の支柱４頂部に掛け渡し取り付けた上横桟５と、前記支柱４と上横桟５間に、支柱４を立位状態に維持する立位保持機構６を備え、前記下横桟３上に複数の支柱４が倒伏するのを中途で阻止するようにした、倒伏阻止手段７を設けている（図１５参照）。  前記立位保持機構６は、支柱４上端側の受け部材ａに設けた嵌合穴（図示省略）に、カバー部材ｂ内に設けて、先端の嵌合ピンｐを弾発的に係止するレバー部材ｃで構成し、前記レバー部材ｃ先端の嵌合ピンｐを前記受け部材ａにおける嵌合穴に嵌合することで、支柱４を立位状態に維持するようにしている。  そして前記倒伏阻止手段７は、図１６に示すように、下横桟３の両端部近傍に設けられたもので、下横桟３にねじ止めした基部材８と、この基部材８に起立倒伏可能に装着して、ばね部材９によって常時立位方向に付勢する一方、手動的に前記付勢力に抗して倒伏可能に設けた支柱保持部材１０とを有している。すなわち、この支柱保持部材１０は、前記基部材８に、倒伏する支柱４を頂部側で受け止めやすくするために、若干傾斜した状態に取り付けられており、前記頂部側には、支柱保持部材１０を、ばね部材９のばね力に抗して指で引き倒すための指掛け部１１を設けている。
【発明の開示】
【発明が解決しようとする課題】
【０００４】
しかしながら、前記折畳式側柵１を折り畳み操作する際、以下の手順で操作する必要がある。
（１）一方の手で立位保持機構６のロック解除操作を行い、もう一方の手で上横桟５の適当な位置を支持しつつ倒伏する。
（２）複数の支柱４は、倒伏して倒伏阻止手段７直近の支柱４が、倒伏阻止手段７の支柱保持部材１０の頂部に当たり、これによって一旦倒伏が止まる（図１７参照）。
（３）このままでは、上横桟５が高い状態であるので、双方の倒伏阻止手段７の支柱保持部材１０を、支柱保持部材１０頂部の指掛け部１１に指を掛けて一つ一つ引き倒す操作して、支柱保持部材１０頂部を支柱４から外して、完全に倒伏させる（図１８参照）。
従って、上記双方の倒伏阻止手段７の支柱保持部材１０を引き倒す操作は、片手では、困難であるので、双方の倒伏阻止手段７の支柱保持部材１０を引き倒す操作は、同時に行わなければならず、現状では、上横桟５を掴んでいた手を放し、両手で同時に解除している。
このように、片手での双方の倒伏阻止手段７の解除操作が困難であると同時に、解除操作時、支柱４が、操作している手の上に倒れ込んでくることになるので、手を挟み込む危険性が高い。
本発明はこのような課題を解決するために提案されたものであって、柵部前後に配置した倒伏阻止手段を同時に安全、且つ簡敏に解除操作することが可能な、挟み込み防止機能を有する折畳式側柵を提供することを目的とする。
【課題を解決するための手段】
【０００５】
前記した課題を解決するために、本発明では、請求項１において、ベッド等のサイドフレーム上に装着するようにした、下横桟と、下横桟上に起立倒伏可能に取り付けた複数の支柱と、複数の支柱頂部に回動自在に取り付けた上横桟と、前記支柱と上横桟間に、支柱を立位状態に維持する立位保持機構を備え、前記支柱のうちの特定の支柱と、この支柱と適宜数離れた位置における支柱と上横桟との軸止め箇所近傍に、複数の支柱が倒伏するのを中途で阻止するようにした、倒伏阻止手段を設けた挟み込み防止機能を有する折畳式側柵を提案する。
また本発明では、請求項２において、前記倒伏阻止手段は、前記立位保持機構直近の支柱における上横桟との軸止め箇所に回動自在に設けたスペーサブロックを有し、このスペーサブロックは、支柱が倒伏時に当接して、支柱の倒伏を阻止する当接端部を有し、このスペーサブロックは、スペーサブロックを変位させて前記当接端部を前記支柱から離脱させるための指掛部を備えた挟み込み防止機能を有する折畳式側柵を提案する。
また本発明では、請求項３において、ベッド等のサイドフレーム上に装着するようにした、下横桟と、下横桟上に起立倒伏可能に取り付けた複数の支柱と、複数の支柱頂部に回動自在に取り付けた上横桟と、前記支柱と上横桟間に、支柱を立位状態に維持する立位保持機構を備え、前記上横桟に適宜間隔をおいて、複数の支柱が倒伏するのを中途で阻止するようにした倒伏阻止手段を設け、これらの倒伏阻止手段を連動操作手段で連動解除可能に構成した挟み込み防止機能を有する折畳式側柵を提案する。
また本発明では、請求項４において、前記倒伏阻止手段は、前記上横桟に揺動自在に取り付けたスペーサブロックで構成し、このスペーサブロックは、連動操作手段と連動可能に連結する構成とした挟み込み防止機能を有する折畳式側柵を提案する。
また本発明では、請求項５において、前記連動操作手段は、上横桟にスライド可能に設けた連動杆で構成し、この連動杆には、前記倒伏阻止手段とそれぞれ動力的に連結して、それぞれの倒伏阻止手段に対して連動力を伝達する伝達手段を備えた挟み込み防止機能を有する折畳式側柵を提案する。
また本発明では、請求項６において、前記伝達手段は、前記双方の倒伏阻止手段に対応して、倒伏阻止手段と遊動的に連結する傾斜長穴を備えた挟み込み防止機能を有する折畳式側柵を提案する。
さらに本発明では、請求項７において、前記伝達手段は、前記双方の倒伏阻止手段に当接して、倒伏阻止手段を連動変位させる幅広当接板を備えたと遊動的に連結する傾斜長穴を備えた挟み込み防止機能を有する折畳式側柵を提案する。
【発明の効果】
【０００６】
折り畳む際に手などを挟み込んだりするおそれはなく、双方の倒伏阻止手段を同時に安全、且つ簡敏に解除操作することが可能となる。
【０００７】
請求項１によれば、片手で立位保持機構の解除操作を行い、もう一方の手で上桟の適所を掴みながら、柵部の倒伏を開始する。複数の支柱が倒伏していき、やがて支柱が倒伏阻止手段に当たっていったん停止する。次いで、前記立位保持機構の解除操作していた手を用いて、倒伏阻止手段を回動させて支柱から外し、さらに、上桟を掴んでいた手を用いて他方の倒伏阻止手段を回動させて支柱から外す。これによって、支柱間に指を挟み込むおそれはなく、柵部を完全に倒伏状態とすることができる。
【０００８】
請求項２によれば、支柱倒伏動作時、支柱上部の軸止め箇所近傍に設けたスペーサブロックの当接端部が、支柱に当接して、支柱の倒伏を阻止するので、手などを挟み込むことはない。そして最後まで柵部を倒伏するには、立位保持機構を操作した手を用いてスペーサブロックの指掛部を介してスペーサブロックを変位させて当接端部を支柱から外し、上桟を掴んでいたもう一方の手で他方のスペーサブロックの指掛部を介してスペーサブロックを変位させて当接端部を支柱から外し、柵部を完全に倒伏状態とすることができる。
【０００９】
請求項３によれば、片手で立位保持機構の解除操作を行い、もう一方の手で上桟の適所を掴みながら、柵部の倒伏を開始する。複数の支柱が倒伏していき、やがて支柱が倒伏阻止手段に当たっていったん停止する。そして最後まで柵部を倒伏するには、複数の支柱を傾斜状態で保持している倒伏阻止手段を連動操作手段で連動解除することで、より一層簡単に柵部を完全に倒伏状態とすることができる。
【００１０】
請求項４によれば、複数の支柱を傾斜状態で保持している双方のスペーサブロックを、連動操作手段で連動解除するという簡単な操作で、柵部を完全に倒伏状態とすることができる。
【００１１】
請求項５によれば、複数の支柱を傾斜状態で保持している際に、上横桟上の連動杆をスライドさせることで、連動杆のスライド動作が、双方の倒伏阻止手段に対して、伝達手段を介して伝達され、双方の倒伏阻止手段が連動変位して、複数の支柱を傾斜状態で保持している状態を解除することができる。
【００１２】
請求項６によれば、連動操作手段を操作すると、傾斜長穴が対応して移動し、前記傾斜長穴を介して、双方の倒伏阻止手段に対して変位力が及ぼされ、双方の倒伏阻止手段は、連動変位して、複数の支柱を傾斜状態で保持している状態を解除することができる。
【００１３】
請求項７によれば、連動操作手段を操作すると、幅広当接板が対応して移動し、双方の倒伏阻止手段に変位方向に押し込んで、複数の支柱を傾斜状態で保持している状態を解除することができる。
【発明を実施するための最良の形態】
【００１４】
以下、本発明にかかる挟み込み防止機能を有する折畳式側柵について、一つの実施の形態を挙げ、添付の図面を基に説明する。なお、この実施の態様において、特許文献１で示される折畳式側柵１における構成要素と実質的に同様な構成要素には、同符号を付している。
図１に示す折畳式側柵１では、ベッド等のサイドフレーム２上に装着するようにした、下横桟３と、下横桟３上に起立倒伏可能に取り付けた複数の支柱４と、複数の支柱４頂部に回動自在に取り付けた上横桟５と、前記複数の支柱４のうち一方の端側の支柱４と上横桟５間に、支柱４を立位状態に維持する立位保持機構６を設けている。そして、この立位保持機構６直近の支柱４における上横桟５との軸止め箇所近傍と、前記立位保持機構６を設けた反対側の端の支柱４の上横桟５との軸止め箇所近傍に、複数の支柱４が倒伏するのを中途で阻止するようにした、倒伏阻止手段７を設けている。
【００１５】
前記下横桟３は、サイドフレーム２に設けられた差込孔（図示省略）に適宜な取付具により、着脱可能に装着する構成としている。
【００１６】
前記複数の支柱４には、柵の両端に配置する第１、第２端部支柱４ａ，４ｂと、柵の中間位置に配置している中間支柱４ｃとを有している。前記第１、第２端部支柱４ａ，４ｂは、前記中間支柱４ｃに比較して外寸の大きい部材で構成している。これら第１、第２端部支柱４ａ，４ｂと中間支柱４ｃは、前記下横桟３上に、下部ヒンジ１２を介して一方向に倒伏自在に連結している。また、第１、第２端部支柱４ａ，４ｂと中間支柱４ｃの上端側には、上部ヒンジ１３を介して回動自在に前記上横桟５を取り付けている。
【００１７】
前記立位保持機構６は、第１端部支柱４ａの上部側と前記上横桟５の一端部間に介在されるもので、上横桟５の一端部側から第１端部支柱４ａ側に至る鉤型形状の外枠１４と、外枠１４に内蔵して、ばね部材（図示省略）により、第１端部支柱４ａ側から先端係止ピン１５ｐを突没可能に保持したロック部材１５とを備えている。
前記外枠１４は、前記第１端部支柱４ａの上部側から第１端部支柱４ａに隣接する中間支柱４ｃの上部側に至る水平部位１４ｈと、第１端部支柱４ａの上部側から後述する第１端部支柱４ａ上部側の段差部に至る垂直部位１４ｖとを有する。前記水平部位１４ｈには、上横桟５に沿って開口部Ｏがあり、この開口部Ｏから前記ロック部材１５が露出し、前記開口部Ｏを介してロック部材１５を握り操作可能としている（図２参照）。
また、前記第１端部支柱４ａ上部側は、前記外枠１４の垂直部位１４ｖが係合可能な段差部Ｄが設けられ、この段差部Ｄには、外枠１４の垂直部位１４ｖ下端側から突没可能なロック部材１５先端の係止ピン１５ｐが係止する係止孔（図示省略）を設けている。
【００１８】
そして、前記倒伏阻止手段７は、前記第１端部支柱４ａに隣接する中間支柱４ｃの軸止め箇所である上部ヒンジ１３に、上部ヒンジ１３の軸を回動中心とする方形枠状のスペーサブロック１６で構成している。このスペーサブロック１６は、前記中間支柱４の、前記第１端部支柱４ａに対向する側面において、第１端部支柱４ａが倒伏時に当接して、支柱４の倒伏を中途で阻止する当接端部１６ｔを側方に微小な俯角を持って指向させている。そして前記スペーサブロック１６には、支柱４の倒伏を中途で阻止している状態において、手によって前記当接端部１６ｔを支柱４から離脱させるべくスペーサブロック１６を変位させるための指掛部１６Ｌを設けている（図１参照）。
なお、前記倒伏阻止手段７は、柵のもう一方の端の位置にある第２端部支柱４ｂ上部側の上部ヒンジ１３の軸を回動中心としたスペーサブロック１６で構成しているので、この説明は省略する。
【００１９】
本発明にかかる挟み込み防止機能を有する折畳式側柵１は、以上のように構成されるものであり、次にその作用を説明する。
立位保持機構６によって立位状態にある折畳式側柵１を、倒伏する際、片手で立位保持機構６の解除操作を行い、もう一方の手で上横桟５の適所を掴みながら、柵部の倒伏を開始する。
【００２０】
折畳式側柵１が立位状態にあるときは、前記立位保持機構６における外枠１４内のロック部材１５先端の係止ピン１５ｐが、ロック部材１５をばね部材の付勢力によって、第１端部支柱４ａ上部側における段差部Ｄの係止孔に係止した状態にある。
そこで、前記ロック部材１５先端の係止ピン１５ｐを第１端部支柱４ａ上部側における段差部Ｄの係止孔から外すために、外枠１４における水平部位１４ｈの開口部Ｏから露出する前記ロック部材１５を、前記開口部Ｏを介して握り操作する（図２参照）。これによって前記ロック部材１５先端の係止ピン１５ｐを、段差部Ｄの係止孔から外すことができ、もう一方の手で上横桟５の適所を掴みながら、柵部の支柱４を倒伏していくことができる。
【００２１】
前記複数の支柱４が倒伏していくと、第１端部支柱４ａに隣接する中間支柱４ｃの軸止め箇所である上部ヒンジ１３に、回動可能に設けられたスペーサブロック１６の当接端部１６ｔが、前記第１端部支柱４ａに当接すると同時に、柵のもう一方の端の第２端部支柱４ｂ上部側の上部ヒンジ１３の軸を回動中心としたスペーサブロック１６の当接端部１６ｔが、前記第２端部支柱４ｂに隣接する中間支柱４ｃに当接することで、倒伏動作が停止する（図３参照）。この状態においては、前記双方の倒伏阻止手段７を構成するスペーサブロック１６によって、第１、第２端部支柱４ａ，４ｂとそれぞれ隣接する中間支柱４ｃとの間に所定の間隔が保たれ、各支柱４間に手などが挟み込まれるというようなことはない。
【００２２】
しかし、折畳式側柵１が図３に示すように倒伏阻止手段７によって支えられた状態では、上横桟５が高いままであるので、このままでは、ベッドへの乗り降りを行うにも、治療行為を行うにも妨げとなるおそれがあるので、完全に複数の支柱４を倒伏させて、上横桟５を低くする操作を行う。
そこで、前記立位保持機構６寄りの位置に設けた倒伏阻止手段７である、スペーサブロック１６を、立位保持機構６を解除操作していた手を用いて解除操作する一方、柵のもう一方の端の第２端部支柱４ｂ上部側の倒伏阻止手段７である、スペーサブロック１６を、上横桟５を掴んでいた手を用いて解除操作を行う。
前記スペーサブロック１６は、単に上部ヒンジ１３を回動中心として、回動可能に設けただけであるので、スペーサブロックの指掛部１６Ｌを掴んで、スペーサブロック１６を容易に変位させることができる。
これによって、それぞれスペーサブロック１６の当接端部１６ｔは、第１端部支柱４ａ、第２端部支柱４ｂに隣接する中間支柱４ｃから外れ、複数の支柱４をを完全に倒伏状態とすることができる（図４参照）。
このように、前記双方の倒伏阻止手段７を構成するスペーサブロック１６を解除操作するには、双方の手で同時にそれぞれスペーサブロックの指掛部１６Ｌを掴んで操作を行うので、指を支柱４間に挟み込むおそれはない。
【００２３】
本発明にかかる挟み込み防止機能を有する折畳式側柵１は、以下のように構成することもできる。なお、この折畳式側柵１においても、前述の折畳式側柵１における構成要素と実質的に同様な構成要素には、同符号を付し、それらの説明は省略している。
すなわち、この実施の形態にかかる折畳式側柵１では、図５に示すように複数の支柱４が倒伏するのを中途で阻止する双方の倒伏阻止手段７，７を連動操作手段１７で連動解除可能に構成している。なお、この場合、倒伏阻止手段７を構成するスペーサブロック１６は、立位保持機構６に近接した上横桟５と、立位保持機構６を設けた反対側の端の第２端部支柱４ｂ近傍の上横桟５に回動自在に取り付けている。
【００２４】
前記連動操作手段１７は、上横桟５上にスライド自在に設けた連動杆１８で構成している。この連動杆１８は両端部に伝達手段Ｋを設けて伝達手段Ｋを介して前記双方の倒伏阻止手段７を連動操作する構成としている。
前記伝達手段Ｋとして、倒伏阻止手段７を構成するスペーサブロック１６の位置に対応して、連動杆１８の両端部に幅広の連結端部１８Ｗ，１８Ｗを設けている。すなわち、これら連結端部１８Ｗ，１８Ｗと前記双方のスペーサブロック１６，１６とは、スペーサブロック１６，１６先端近傍に設けたピン１６ｐ，１６ｐが、それぞれ連結端部１８Ｗ，１８Ｗに形成した傾斜長穴Ｓｈに遊動可能に係合することで、動力的に連結している（図６参照）。
【００２５】
なお、前記立位保持機構６は、図１に示す折畳式側柵１における立位保持機構６と同機構であり、ここではその説明は省略する。
【００２６】
以上のような折畳式側柵１において、折畳式側柵１が立位状態にあるときは、前記立位保持機構６が作用して、第１端部支柱４ａ上部側における段差部Ｄの係止孔に係止した状態にある（図５参照）。
折畳式側柵１の折り畳みを行うには、前記立位保持機構６の解除操作をして、もう一方の手で上横桟５と共に連動杆１８の適所を掴みながら、柵部の支柱４を倒伏していくことができる。
【００２７】
前記複数の支柱４が倒伏していくと、上横桟５側に回動可能に設けられた双方のスペーサブロック１６の当接端部１６ｔが、それぞれ隣接する中間支柱４ｃに当接することで、倒伏動作が停止する。この状態においては、前記双方の倒伏阻止手段７を構成するスペーサブロック１６によって、第１、第２端部支柱４ａ，４ｂとそれぞれ隣接する中間支柱４ｃとの間に所定の間隔が保たれ、各支柱４間に手などが挟み込まれるというようなことはない（図７、図８参照）。
【００２８】
折畳式側柵１が倒伏阻止手段７によって支えられた状態では、上横桟５が高いままであり、ベッドへの乗り降りや、治療行為の妨げのおそれがあるので、完全に複数の支柱４を倒伏させるには、連動操作手段１７である連動杆１８を操作する。
連動杆１８を、上横桟５と共に連動杆１８を掴んでいた手で、上横桟５に沿ってスライド操作する。すると、連動杆１８両端の連結端部１８Ｗ，１８Ｗがそれぞれ移動するので、双方のスペーサブロック１６，１６は、それぞれ連結端部１８Ｗ，１８Ｗに形成した傾斜長穴Ｓｈ、スペーサブロック１６，１６先端近傍に設けたピン１６ｐ，１６ｐを介し、スライド方向に平行に押し込められ、双方のスペーサブロック１６の当接端部１６ｔが、それぞれ隣接する中間支柱４ｃから外れ（図９参照）、複数の支柱４を完全に倒伏状態とすることができる（図１０参照）。
このように、前記双方の倒伏阻止手段７を構成するスペーサブロック１６を解除操作するには、連動操作手段１７である連動杆１８を操作することで、簡単に、しかも指を支柱４間に挟み込むおそれなく、完全に倒伏状態とすることができる。
【００２９】
さらに、本発明にかかる挟み込み防止機能を有する折畳式側柵１は、以下のように構成することもできる。なお、この折畳式側柵１においても、前述の折畳式側柵１における構成要素と実質的に同様な構成要素には、同符号を付し、それらの説明は省略している。
すなわち、この実施の形態にかかる折畳式側柵１においても（図１１参照）、複数の支柱４が倒伏するのを中途で阻止する双方の倒伏阻止手段７，７を、連動操作手段１７で伝達手段Ｋを介し連動解除可能に構成している。なお、この場合、連動操作手段１７は、上横桟５上にスライド自在に設けた連動杆１８の両端部に伝達手段Ｋとして、前記双方の倒伏阻止手段７を構成するスペーサブロック１６の位置に対応して幅広当接板１９Ｗ，１９Ｗを設けている。すなわち、これら幅広当接板１９Ｗ，１９Ｗと前記双方のスペーサブロック１６，１６とは、連動杆１８の移動方向と反対側のスペーサブロック１６，１６側面に、それぞれ幅広当接板１９Ｗ，１９Ｗが当接しており、連動杆１８をスライドさせることで、前記幅広当接板１９Ｗ，１９Ｗを介し、双方のスペーサブロック１６，１６を連動変位させる構成である（図１２参照）。
【００３０】
以上のような折畳式側柵１においても、折畳式側柵１が倒伏阻止手段７によって支えられた状態から（図１３参照）、完全に複数の支柱４を倒伏させるには、連動操作手段１７である連動杆１８を操作する。
連動杆１８を、上横桟５と共に連動杆１８を掴んでいた手で、上横桟５に沿ってスライド操作すると、連動杆１８両端の幅広当接板１９Ｗ，１９Ｗがそれぞれ移動するので、双方のスペーサブロック１６，１６は、それぞれ幅広当接板１９Ｗ，１９Ｗによって、スライド方向に平行に押し込められ、双方のスペーサブロック１６の当接端部１６ｔが、それぞれ隣接する中間支柱４ｃから外れ、複数の支柱４を完全に倒伏状態とすることができる（図１４参照）。
このように、連動操作手段１７である連動杆１８を操作することで、簡単に、しかも指を支柱４間に挟み込むおそれなく、柵部を完全に倒伏状態とすることができる。
【図面の簡単な説明】
【００３１】
【図１】本発明にかかる挟み込み防止機能を有する折畳式側柵の一例を示す、全体側面説明図である。
【図２】図１に示す折畳式側柵の立位保持機構を操作する際の要部説明図である。
【図３】図１に示す折畳式側柵を、倒伏阻止手段を作用させて折り畳んだ状態を示す側面説明図である。
【図４】図１に示す折畳式側柵を、完全に倒伏した状態を示す側面説明図である。
【図５】本発明にかかる挟み込み防止機能を有する折畳式側柵の別例を示す、全体側面説明図である。
【図６】図５に示す折畳式側柵における倒伏阻止手段の連動操作機能を説明するための図である。
【図７】図５に示す折畳式側柵を、倒伏阻止手段を作用させて折り畳んだ状態を示す側面説明図である。
【図８】図７に示す状態における倒伏阻止手段と、連動操作手段の要部拡大説明図である。
【図９】倒伏阻止手段を連動解除した状態を示す、要部拡大説明図である。
【図１０】図５に示す折畳式側柵を、完全に倒伏した状態を示す側面説明図である。
【図１１】本発明にかかる挟み込み防止機能を有する折畳式側柵の別例を示す、全体側面説明図である。
【図１２】図１１に示す折畳式側柵の倒伏阻止手段と、連動操作手段の要部拡大斜視説明図である。
【図１３】図１１に示す折畳式側柵を、倒伏阻止手段を作用させて折り畳んだ状態を示す側面説明図である。
【図１４】図１１に示す折畳式側柵を、完全に倒伏した状態を示す側面説明図である。
【図１５】従来における挟み込み防止手段を備えた折畳式側柵の一例を示した、全体側面図である。
【図１６】図１５に示す折畳式側柵の倒伏阻止手段を示す拡大分解斜視説明図である。
【図１７】図１５に示す折畳式側柵の倒伏阻止手段を作用させて折り畳んだところを示した、側面説明図である。
【図１８】折畳式側柵を完全に折り畳んだところを示した側面説明図である。
【符号の説明】
【００３２】
１                      折畳式側柵
２                      サイドフレーム
３                      下横桟
４                      支柱
４ａ                    第１端部支柱
４ｂ                    第２端部支柱
４ｃ                    中間支柱
５                      上横桟
６                      立位保持機構
７                      倒伏阻止手段
８                      基部材
９                      ばね部材
１０                    支柱保持部材
１１                    指掛け部
１２                    下部ヒンジ
１３                    上部ヒンジ
１４                    外枠
１４ｈ                  水平部位
１４ｖ                  垂直部位
１５                    ロック部材
１５ｐ                  係止ピン
１６                    スペーサブロック
１６Ｌ                  指掛部
１６ｔ                  当接端部
１６ｐ                  ピン
１７                    連動操作手段
１８                    連動杆
１８Ｗ                  連結端部
１９Ｗ                  幅広当接板
ａ                      受け部材
ｂ                      カバー部材
ｃ                      レバー部材
Ｏ                      開口部
Ｄ                      段差部
Ｋ                      伝達手段
Ｓｈ                    傾斜長穴
【図１】
2005058513.tif 000003
【図２】
2005058513.tif 000004
【図３】
2005058513.tif 000005
【図４】
2005058513.tif 000006
【図５】
2005058513.tif 000007
【図６】
2005058513.tif 000008
【図７】
2005058513.tif 000009
【図８】
2005058513.tif 000010
【図９】
2005058513.tif 000011
【図１０】
2005058513.tif 000012
【図１１】
2005058513.tif 000013
【図１２】
2005058513.tif 000014
【図１３】
2005058513.tif 000015
【図１４】
2005058513.tif 000016
【図１５】
2005058513.tif 000017
【図１６】
2005058513.tif 000018
【図１７】
2005058513.tif 000019
【図１８】
2005058513.tif 000020